【手続補正書】
【提出日】平成17年9月20日(2005.9.20)
【手続補正１】
【補正対象書類名】明細書
【補正対象項目名】発明の名称
【補正方法】変更
【補正の内容】
【発明の名称】情報処理装置および方法、プログラム、並びに記録媒体、データ構造、再生装置
【手続補正２】
【補正対象書類名】明細書
【補正対象項目名】特許請求の範囲
【補正方法】変更
【補正の内容】
【特許請求の範囲】
【請求項１】  メインオーディオビデオストリームデータと共に、上記メインオーディオビデオストリームの再生を制御する再生制御情報が記録された記録媒体に対して上記オーディオビデオストリームと同期して再生されるサブデータを記録する情報処理装置において、
上記再生制御情報を記録媒体から読み取り、読み取られた再生制御情報から記録媒体上に上記オーディオビデオストリームと同期して再生される所定数の第１のサブデータストリームが既に記録されているか否かを判定する判定手段と、
入力されたサブデータから第２のサブデータストリームを生成する符号化手段と、
上記判定手段によって、上記所定数の第１のサブデータが記録されていないと判定される場合に、上記符号化手段で生成された上記第２のサブデータストリームを記録媒体に記録し、
上記判定手段によって、上記所定数の第１のサブデータが記録されていると判定される場合に、上記所定数の第１のサブデータの１つと上記符号化手段で生成された上記第２のサブデータストリームとを合成し、１つの合成ストリームを記録媒体に記録する手段と
からなる情報処理装置。
【請求項２】  請求項１において、
上記再生制御情報は、メインオーディオビデオストリームの選択された再生区間を指示するメインパスと、上記第１のサブデータストリームの再生区間を指示するサブパスとからなる情報処理装置。
【請求項３】  請求項２において、
上記判定手段は、上記メインパスが所定数の上記サブパスを持っているかどうかを判定するようにした情報処理装置。
【請求項４】  請求項２において、
上記合成ストリームを記録媒体に記録する時に、上記合成ストリームの再生区間を指示する２以上の上記サブパスを有する上記再生制御情報を記録するようにした情報処理装置。
【請求項５】  メインオーディオビデオストリームデータと共に、上記メインオーディオビデオストリームの再生を制御する再生制御情報が記録された記録媒体に対して上記オーディオビデオストリームと同時に再生されるサブデータを記録する情報処理方法において、
上記再生制御情報を記録媒体から読み取り、読み取られた再生制御情報から記録媒体上に上記オーディオビデオストリームと同期して再生される所定数の第１のサブデータストリームが既に記録されているか否かを判定する判定ステップと、
入力されたサブデータから第２のサブデータストリームを生成する符号化ステップと、
上記判定ステップによって、上記所定数の第１のサブデータが記録されていないと判定される場合に、上記符号化ステップで生成された上記第２のサブデータストリームを記録媒体に記録し、
上記判定ステップによって、上記所定数の第１のサブデータが記録されていると判定される場合に、上記所定数の第１のサブデータの１つと上記符号化ステップで生成された上記第２のサブデータストリームとを合成し、１つの合成ストリームを記録媒体に記録するステップと
からなる情報処理方法。
【請求項６】  請求項５において、
上記再生制御情報は、メインオーディオビデオストリームの選択された再生区間を指示するメインパスと、上記第１のサブデータストリームの再生区間を指示するサブパスとからなる情報処理方法。
【請求項７】  請求項６において、
上記判定ステップは、上記メインパスが所定数の上記サブパスを持っているかどうかを判定するようにした情報処理方法。
【請求項８】  請求項５において、
上記合成ストリームを記録媒体に記録する時に、上記合成ストリームの再生区間を指示する２以上の上記サブパスを有する上記再生制御情報を記録するようにした情報処理方法。
【請求項９】  メインオーディオビデオストリームデータと共に、上記メインオーディオビデオストリームの再生を制御する再生制御情報が記録された記録媒体に対して上記オーディオビデオストリームと同期して再生されるサブデータを記録する情報処理装置のプログラムにおいて、
上記再生制御情報を記録媒体から読み取り、読み取られた再生制御情報から記録媒体上に上記オーディオビデオストリームと同期して再生される所定数の第１のサブデータストリームが既に記録されているか否かを判定する判定ステップと、
入力されたサブデータから第２のサブデータストリームを生成する符号化ステップと、
上記判定ステップによって、上記所定数の第１のサブデータが記録されていないと判定される場合に、上記符号化ステップで生成された上記第２のサブデータストリームを記録媒体に記録し、
上記判定ステップによって、上記所定数の第１のサブデータが記録されていると判定される場合に、上記所定数の第１のサブデータの１つと上記符号化ステップで生成された上記第２のサブデータストリームとを合成し、１つの合成ストリームを記録媒体に記録するステップと
からなる情報処理装置のプログラム。
【請求項１０】  メインオーディオビデオストリームデータと共に、上記メインオーディオビデオストリームの再生を制御する再生制御情報が記録された記録媒体に対して上記オーディオビデオストリームと同期して再生されるサブデータを記録する情報処理装置のプログラムにおいて、
上記再生制御情報を記録媒体から読み取り、読み取られた再生制御情報から記録媒体上に上記オーディオビデオストリームと同期して再生される所定数の第１のサブデータストリームが既に記録されているか否かを判定する判定ステップと、
入力されたサブデータから第２のサブデータストリームを生成する符号化ステップと、
上記判定ステップによって、上記所定数の第１のサブデータが記録されていないと判定される場合に、上記符号化ステップで生成された上記第２のサブデータストリームを記録媒体に記録し、
上記判定ステップによって、上記所定数の第１のサブデータが記録されていると判定される場合に、上記所定数の第１のサブデータの１つと上記符号化ステップで生成された上記第２のサブデータストリームとを合成し、１つの合成ストリームを記録媒体に記録するステップと
からなるコンピュータが読み取り可能なプログラムが記録されている記録媒体。
【請求項１１】  メインオーディオビデオストリームデータと、上記オーディオビデオストリームと同期して再生される所定数のサブデータストリームと、上記メインオーディオビデオストリームの再生を制御する再生制御情報とが記録され、上記サブデータストリームの少なくとも１つが２以上のサブデータが合成されたストリームである記録媒体。
【請求項１２】  メインストリームと、上記メインストリームと同時に再生される所定数のサブデータストリームと、
上記メインストリーム及び上記サブデータストリームの再生を制御する再生制御情報とを含み、
上記サブデータストリームの少なくとも１つが２以上のサブデータが合成されたストリームであることを特徴とするデータ構造。
【請求項１３】  同時に再生可能なストリームが制限されており、メインストリームと、サブデータストリームとを含むデータ構造に対して再生処理を行なう再生装置であって、
上記メインストリームの再生区間を指示するメインパスと、上記サブデータストリームの再生区間を指示するサブパスを用いて再生区間を指定し、
上記メインストリーム及び、上記サブストリームに合成されている複数のサブデータを同時に再生することを特徴とする再生装置。
【手続補正３】
【補正対象書類名】明細書
【補正対象項目名】０００１
【補正方法】変更
【補正の内容】
【０００１】
【発明の属する技術分野】
この発明は、メインのオーディオビデオデータと同期して再生されるサブデータを記録するための情報処理装置および方法、プログラム、並びに記録媒体、データ構造、再生装置に関する。
【手続補正４】
【補正対象書類名】明細書
【補正対象項目名】００２６
【補正方法】変更
【補正の内容】
【００２６】
したがって、この発明の目的は、メインＡＶストリームの符号化ビットレートを低く制限する必要がなく、且つサブプレイアイテムの数の増加に対応できる情報処理装置および方法、プログラム、並びに記録媒体、データ構造、再生装置を提供することにある。
【手続補正５】
【補正対象書類名】明細書
【補正対象項目名】００２８
【補正方法】変更
【補正の内容】
【００２８】
請求項５の発明は、メインオーディオビデオストリームデータと共に、上記メインオーディオビデオストリームの再生を制御する再生制御情報が記録された記録媒体に対して上記オーディオビデオストリームと同時に再生されるサブデータを記録する情報処理方法において、
再生制御情報を記録媒体から読み取り、読み取られた再生制御情報から記録媒体上にオーディオビデオストリームと同期して再生される所定数の第１のサブデータストリームが既に記録されているか否かを判定する判定ステップと、
入力されたサブデータから第２のサブデータストリームを生成する符号化ステップと、
判定ステップによって、所定数の第１のサブデータが記録されていないと判定される場合に、符号化ステップで生成された第２のサブデータストリームを記録媒体に記録し、
判定ステップによって、所定数の第１のサブデータが記録されていると判定される場合に、所定数の第１のサブデータの１つと符号化ステップで生成された第２のサブデータストリームとを合成し、１つの合成ストリームを記録媒体に記録するステップと
からなる情報処理方法である。
【手続補正６】
【補正対象書類名】明細書
【補正対象項目名】００２９
【補正方法】変更
【補正の内容】
【００２９】
請求項９の発明は、メインオーディオビデオストリームデータと共に、メインオーディオビデオストリームの再生を制御する再生制御情報が記録された記録媒体に対してオーディオビデオストリームと同期して再生されるサブデータを記録する情報処理装置のプログラムにおいて、
再生制御情報を記録媒体から読み取り、読み取られた再生制御情報から記録媒体上にオーディオビデオストリームと同期して再生される所定数の第１のサブデータストリームが既に記録されているか否かを判定する判定ステップと、
入力されたサブデータから第２のサブデータストリームを生成する符号化ステップと、
判定ステップによって、所定数の第１のサブデータが記録されていないと判定される場合に、符号化ステップで生成された第２のサブデータストリームを記録媒体に記録し、
判定ステップによって、所定数の第１のサブデータが記録されていると判定される場合に、所定数の第１のサブデータの１つと符号化ステップで生成された第２のサブデータストリームとを合成し、１つの合成ストリームを記録媒体に記録するステップと
からなる情報処理装置のプログラムである。
【手続補正７】
【補正対象書類名】明細書
【補正対象項目名】００３０
【補正方法】変更
【補正の内容】
【００３０】
請求項１０の発明は、メインオーディオビデオストリームデータと共に、メインオーディオビデオストリームの再生を制御する再生制御情報が記録された記録媒体に対してオーディオビデオストリームと同期して再生されるサブデータを記録する情報処理装置のプログラムにおいて、
再生制御情報を記録媒体から読み取り、読み取られた再生制御情報から記録媒体上にオーディオビデオストリームと同期して再生される所定数の第１のサブデータストリームが既に記録されているか否かを判定する判定ステップと、
入力されたサブデータから第２のサブデータストリームを生成する符号化ステップと、
判定ステップによって、所定数の第１のサブデータが記録されていないと判定される場合に、符号化ステップで生成された第２のサブデータストリームを記録媒体に記録し、
判定ステップによって、所定数の第１のサブデータが記録されていると判定される場合に、所定数の第１のサブデータの１つと符号化ステップで生成された第２のサブデータストリームとを合成し、１つの合成ストリームを記録媒体に記録するステップと
からなるコンピュータが読み取り可能なプログラムが記録されている記録媒体である。
【手続補正８】
【補正対象書類名】明細書
【補正対象項目名】００３１
【補正方法】変更
【補正の内容】
【００３１】
請求項１１の発明は、メインオーディオビデオストリームデータと、オーディオビデオストリームと同期して再生される所定数のサブデータストリームと、メインオーディオビデオストリームの再生を制御する再生制御情報とが記録され、サブデータストリームの少なくとも１つが２以上のサブデータが合成されたストリームである記録媒体である。
請求項１２の発明は、メインストリームと、メインストリームと同時に再生される所定数のサブデータストリームと、メインストリーム及びサブデータストリームの再生を制御する再生制御情報とを含み、サブデータストリームの少なくとも１つが２以上のサブデータが合成されたストリームであることを特徴とするデータ構造である。
請求項１３の発明は、同時に再生可能なストリームが制限されており、メインストリームと、サブデータストリームとを含むデータ構造に対して再生処理を行なう再生装置であって、メインストリームの再生区間を指示するメインパスと、サブデータストリームの再生区間を指示するサブパスを用いて再生区間を指定し、メインストリーム及び、サブストリームに合成されている複数のサブデータを同時に再生することを特徴とする再生装置である。